(57)【要約】      （修正有）【課題】骨盤の引き締めのための十分な挟持力を臀部に確実に作用させることができる骨盤クッションを提供する。【解決手段】床面Ｆ上に敷かれる基板部２の骨組を構成するベースフレーム７と、このベースフレーム７の両側にそのベースフレーム７に対して複数段階に角度調節可能に連結される一対のサイドフレーム１１，１１´とを備え、一対のサイドフレーム１１，１１´のそれぞれにクッション部材を装着して一対の横支持体３，３´を形成し、これら一対の横支持体３，３´で着座した人の臀部Ｂを両側から挟み込むように支持する骨盤クッション１において、ベースフレーム７と一対のサイドフレーム１１，１１´との連結部を構成するラチェットギヤ１０，１０´の配置スパンＳ１が、一対の横支持体３，３´による臀部Ｂの支持スパンＳ２よりも短いものとする。【選択図】図３
0003174510.tif 000002
【実用新案登録請求の範囲】
【請求項１】
床面上に敷かれる基板部の骨組を構成するベースフレームと、このベースフレームの両側にそのベースフレームに対して複数段階に角度調節可能に連結される一対のサイドフレームとを備え、前記一対のサイドフレームのそれぞれにクッション部材を装着して一対の横支持体を形成し、これら一対の横支持体で着座した人の臀部を両側から挟み込むように支持する骨盤クッションにおいて、
前記ベースフレームに対する前記一対のサイドフレームの連結部の配置スパンが、前記一対の横支持体による臀部の支持スパンよりも短いことを特徴とする骨盤クッション。
【請求項２】
前記ベースフレームの後側にそのベースフレームに対して複数段階に角度調節可能にリヤフレームが連結され、このリヤフレームにクッション部材を装着することで後部支持体が形成され、この後部支持体の中央部には、着座した人の腰部に当接可能に膨出支持部が形成される請求項１に記載の骨盤クッション。
【請求項３】
前記基板部の前部には、臀部と大腿部との境界部に当接可能に膨出支持部が形成される請求項１または２に記載の骨盤クッション。
【考案の詳細な説明】
【技術分野】
【０００１】
本考案は、着座使用にて腰椎や骨盤部の補正機能を発揮することが可能な骨盤クッションに関するものである。
【背景技術】
【０００２】
この種の従来の骨盤クッションとして、例えば特許文献１にて提案されているものがある。
【先行技術文献】
【特許文献】
【０００３】
【特許文献１】特開２００８−７３２７６号公報
【０００４】
図５（ａ）（ｂ）に示されるように、この特許文献１に係る骨盤クッション５１は、床面上に敷かれる基板部５２の骨組を構成するベースフレーム５３と、このベースフレーム５３の両側にそのベースフレーム５３に対して複数段階に角度調節可能に連結される一対のサイドフレーム５４，５４´とを備え、一対のサイドフレーム５４，５４´のそれぞれにクッション部材５５，５５´を装着して一対の横支持体５６，５６´を形成し、これら一対の横支持体５６，５６´で着座した人の臀部Ｂを両側から挟み込むように支持する構成のものである。
【０００５】
この特許文献１に係る骨盤クッション５１によれば、臀部Ｂおよび大腿部上半部分が利用者身の体重による重力作用で一対の横支持体５６，５６´によって挟み込まれるので、利用者の体形に関わらず無理なく簡単に使用できて、臀部Ｂから腰部Ｄにかけての補整とこれに伴う血行促進を図ることができる。
【０００６】
ところで、上記の特許文献１に係る骨盤クッション５１では、ベースフレーム５３と一対のサイドフレーム５４，５４´との連結部を構成する一対のラチェットギヤ５７，５７´の配置スパン、つまり一対のラチェットギヤ５７，５７´の中心間距離Ｓ１１が、一対の横支持体５６，５６´による臀部Ｂの支持スパン、つまり一対の膨出支持部５６ａ，５６ａ´の中心間距離Ｓ２２よりも大きくされている。
このため、一対の横支持体５６，５６´上に人が着座したとき、一対のサイドフレーム５４，５４´は臀部Ｂを横側から支えることができても下側から支えることができず、着座した人が一対のサイドフレーム５４，５４´の間に沈み込み過ぎてしまって、一対のサイドフレーム５４，５４´から臀部Ｂに骨盤の引き締めのため挟持力を十分に作用させることができない。
したがって、骨盤の引き締めのために臀部Ｂに作用させる挟持力の殆どを一対の横支持体５６，５６´におけるクッション部材５５，５５´の弾性変形による反発力から得ることになり、挟持力が不十分で、骨盤の引き締め効果を十分に得ることができないという問題点がある。
【考案の概要】
【考案が解決しようとする課題】
【０００７】
本考案は、前述のような問題点に鑑みてなされたもので、骨盤の引き締めのための十分な挟持力を臀部に確実に作用させることができる骨盤クッションを提供することを目的とするものである。
【課題を解決するための手段】
【０００８】
前記目的を達成するために、本考案による骨盤クッションは、
床面上に敷かれる基板部の骨組を構成するベースフレームと、このベースフレームの両側にそのベースフレームに対して複数段階に角度調節可能に連結される一対のサイドフレームとを備え、前記一対のサイドフレームのそれぞれにクッション部材を装着して一対の横支持体を形成し、これら一対の横支持体で着座した人の臀部を両側から挟み込むように支持する骨盤クッションにおいて、
前記ベースフレームに対する前記一対のサイドフレームの連結部の配置スパンが、前記一対の横支持体による臀部の支持スパンよりも短いことを特徴とするものである（第１考案）。
【０００９】
本考案において、前記ベースフレームの後側にそのベースフレームに対して複数段階に角度調節可能にリヤフレームが連結され、このリヤフレームにクッション部材を装着することで後部支持体が形成され、この後部支持体の中央部には、着座した人の腰部に当接可能に膨出支持部が形成されるのが好ましい（第２考案）。
【００１０】
本考案において、前記基板部の前部には、臀部と大腿部との境界部に当接可能に膨出支持部が形成されるのが好ましい（第３考案）。
【考案の効果】
【００１１】
本考案の骨盤クッションによれば、ベースフレームに対する一対のサイドフレームの連結部の配置スパンが、一対の横支持体による臀部の支持スパンよりも短くされるので、一対のサイドフレームによって臀部を下側から挟み込むように確実に支えることができ、着座する人の体重が重力作用で一対の横支持体にかかるに伴い一対のサイドフレームから臀部に作用する反作用力を骨盤の引き締めのため挟持力として骨盤に確実に作用させることができる。したがって、骨盤の引き締めのために臀部に作用させる挟持力の殆どを一対のサイドフレームによる反作用力から得ることになり、骨盤の引き締めのための十分な挟持力を臀部に確実に作用させることができるので、骨盤の引き締め効果を十分に得ることができるという効果を奏する。
【００１２】
第２考案の構成を採用することにより、骨盤クッション上で後部支持体を背もたれとして腹筋運動を実施することができ、後部支持体が起立位置にあるとき腹筋運動の最小負荷となり、後部支持体が伏臥位置にあるとき腹筋運動の最大負荷となり、後部支持体を起立位置と伏臥位置との間で複数段階に角度調整することで、腹筋運動の負荷を最小負荷と最大負荷との間で複数段階に調整することができる。また、後部支持体の中央部には、着座した人の腰部に当接可能に膨出支持体が形成されるので、腹筋運動の伸長動作時に腰部が後部支持体に接触する際の衝撃を緩和することができる。
【００１３】
第３考案の構成を採用することにより、基板部の前部に設けられた膨出支持部が臀部と大腿部との境界部に接触して抵抗となり滑り止めとして機能するので、腹筋運動時に利用者がクッションの前の方へずれていくのを膨出支持部で防ぐことができる。
【図面の簡単な説明】
【００１４】
【図１】本実施形態の骨盤クッションの全体斜視図で、一対の横支持体の起立位置状態図（ａ）および伏臥位置状態図（ｂ）
【図２】骨盤クッションの平面図で、一対の横支持体の起立位置状態図（ａ）および伏臥位置状態図（ｂ）
【図３】骨盤クッションの使用状態を表わす正面図で、一対の横支持体の起立位置状態図（ａ）および伏臥位置状態図（ｂ）
【図４】骨盤クッションの使用状態を表わす側面図で、後部支持体の起立位置状態図（ａ）および伏臥位置状態図（ｂ）
【図５】従来の骨盤クッションの全体斜視図（ａ）および使用状態を表わす正面図（ｂ）
【考案を実施するための形態】
【００１５】
次に、本考案による骨盤クッションの具体的な実施の形態について、図面を参照しつつ説明する。
【００１６】
＜骨盤クッションの概略説明＞
図１に示されるように、本実施形態の骨盤クッション１は、床面Ｆ（図３参照）上に敷かれる所要寸法で方形状の基板部２と、基板部２の左右両側に基端部が連結されて上側に膨出形成され左右対称に配される一対の横支持体３，３´と、基板部２の後端縁に基端部が連結されて上側に膨出形成される後部支持体４とを備えてなり、左右の横支持体３，３´と後部支持体４とによって三方が囲まれた空間部６が基板部２の上に形成されている。
【００１７】
＜基板部の説明＞
基板部２は、図２（ｂ）に示されるように、金属部材（例えば金属パイプ）を方形に形成してなるベースフレーム７を骨格として、このベースフレーム７をクッション部材（たとえばウレタンフォームなど柔軟性を有する樹脂製発泡材）で囲うとともに、空間の部分にクッション部材８を充填して、外部をメッシュ布地９（これに限定されるものではなく、通常の織物・編み物・皮革もしくは合成皮革、起毛布などであってもよい。以下同様。）で被覆し、適宜高さ寸法で平坦に形成されている。
基板部２の前部には、臀部Ｂと大腿部Ｅとの境界部Ｇに当接可能（図４（ａ）（ｂ）参照）に上方に膨出した膨出支持部２ａが形成されている。
【００１８】
＜横支持体の説明＞
図３（ａ）（ｂ）に示されるように、横支持体３，３´は、基板部２のベースフレーム７の側部部位にラチェットギヤ１０，１０´を介して基端が連結されるサイドフレーム１１，１１´を備え、このサイドフレーム１１，１１´の前面側（基板部２の中央に向かった側）へ大きく膨出した膨出支持部３ａ，３ａ´が形成されて構成されている。この膨出支持部３ａ，３ａ´は、上表面が曲面を形成する形状にして、その上表面をサイドフレーム１１，１１´により支持される側（外側部）から前面側へ下がる傾斜状態にし、この上表面に隣接する周囲の表面も曲面となるように内部をクッション部材１３，１３´（図２（ａ）参照）で形成して、サイドフレーム１１，１１´とともにその外部をメッシュ布地１４，１４´（図２（ａ）参照）で被覆縫合形成されている。このようにされた横支持体３，３´は、基板部２の左右に対称に配設されている。
【００１９】
＜横支持体角度調整機構の説明＞
ラチェットギヤ１０，１０´は、それ自体公知構造のものであり、図示による詳細な説明は省略するが、爪と爪車とを噛み合わせ、小刻みで間欠的な回転運動や歯止めに用いる一種の歯車機構からなり、横支持体３，３´を、基板部２に対し起立させた起立位置（図３（ａ）に示される状態位置）と、基板部２から床面Ｆ上に伏臥させた伏臥位置（同図（ｂ）に示される状態位置）との間で複数段階（例えば、９０°から１８０°の範囲で４段階）に角度調整する横支持体角度調整機構として機能する。
【００２０】
＜サイドフレーム連結部配置スパンと臀部支持スパンとの関係の説明＞
ベースフレーム７と一対のサイドフレーム１１，１１´との連結部を構成する一対のラチェットギヤ１０，１０´の配置スパン、つまり一対のラチェットギヤ１０，１０´の中心間距離Ｓ１（例えば、２００〜２２０ｍｍ）、は、一対の横支持体３，３´による臀部Ｂの支持スパン、つまり一対の膨出支持部３ａ，３ａ´の中心間距離Ｓ２（例えば、３２０〜３４０ｍｍ）よりも短くされている。
【００２１】
＜後部支持体の説明＞
後部支持体４は、図４（ａ）（ｂ）に示されるように、基板部２のベースフレーム７の後側部位に基端が前記ラチェットギヤ１０，１０´と同様のラチェットギヤ１５を介して基端が連結されるリヤフレーム１６を備え、このリヤフレーム１６の前面側（基板部２の中央に向かった側）へ大きく膨出した膨出支持部４ａが形成されて構成されている。
この後部支持体４は、膨出支持部４ａの上表面が曲面を形成するようにしてクッション部材１８（図２（ａ）参照）の表面をメッシュ布地１９（図２（ａ）参照）によって被覆されている。また、この後部支持体４は、前記両横支持体３，３′の高さ寸法よりも高く、着座した人の腰部Ｄに当接可能にその中央部が後述する起立位置状態において前方に膨出された形状の膨出支持部４ａを有するものとされ、人の腰部Ｄから下背部に亘る部分を支えることができる高さ寸法に形成されている。
【００２２】
＜後部支持体角度調整機構の説明＞
ラチェットギヤ１５は、後部支持体４を、基板部２に対し起立させた起立位置（図４（ａ）に示される状態位置）と、基板部２から床面Ｆ上に伏臥させた伏臥位置（同図（ｂ）に示される状態位置）との間で複数段階（例えば、９０°から１８０°の範囲で４段階）に角度調整する後部支持体角度調整機構として機能する。
【００２３】
＜作用効果の説明＞
以上に述べたように構成される骨盤クッション１においては、一対の横支持体３，３′と後部支持体４とが、図３（ａ）で示されるように、相互に一部が接触するように起立状態で配置されるとき、基板部２の周囲三方からその上側を囲うようにして、膨出支持部２ａを除いて前方が開放された空間部６が中央に形成されるようになっている。この状態で利用者Ａが着座すると、三つの支持体３，３′，４の曲面に形成された上に臀部Ｂが受止められることになる。
【００２４】
次に、本実施形態の骨盤クッション１の使用態様について説明する。この骨盤クッション１は、図３（ａ）に示されるように、基板部２を平坦な床面Ｆ上に置き、予め一対の横支持体３，３′および後部支持体４を起立位置にしておく。一対の横支持体３，３′の起立状態は、外側寄りに内設されるサイドフレーム１１，１１´の上部を外部から手で掴むようにして内向きに倒す方向に移動させると、基板部２のベースフレーム７とそのサイドフレーム１１との連結部に配されているラチェットギヤ１０，１０´により複数段で間歇回動して傾動する。また、後部支持体４も必要に応じて横支持体３，３′と同様にして起立状態を調整する。したがって、一対の横支持体３，３′および／または後部支持体４を前記要領で変位させることにより、支持間隔を設定することができる。
【００２５】
こうして、一対の横支持体３，３′の位置を設定した後、着座した人（利用者Ａ）は一対の両横支持体３，３′と後部支持体４とによって形成される基板部２上の空間部６に向かって図３（ａ）に示されるように腰を下ろす。すると、一対の横支持体３，３′の膨出支持部３ａ，３ａ´および後部支持体４の膨出支持部４ａ（図４（ａ）参照）における内側へ傾斜する曲面を形成する上表面に、臀部Ｂが受止められて着座することになる。
【００２６】
ベースフレーム７に対する一対のサイドフレーム１１，１１´の連結部の配置スパンＳ１は、一対の横支持体３，３´による臀部Ｂの支持スパンＳ２よりも短くされているので、一対のサイドフレーム１１，１１´によって臀部Ｂを下側から挟み込むように確実に支えることができる。これにより、着座した人の体重が重力作用で一対の横支持体３，３´にかかるに伴い一対のサイドフレーム１１，１１´から臀部Ｂに作用する反作用力を骨盤の引き締めのため挟持力として骨盤に確実に作用させることができる。したがって、骨盤の引き締めのために臀部Ｂに作用させる挟持力の殆どを一対のサイドフレーム１１，１１による反作用力から得ることになり、骨盤の引き締めのための十分な挟持力を臀部Ｂに確実に作用させることができるので、骨盤の引き締め効果を十分に得ることができる。
【００２７】
一対の横支持体３，３′と後部支持体４は、いずれも膨出支持部３ａ，３ａ´，４ａがクッション部材１３，１３´，１８（図２（ａ）参照）を内蔵する構成とされているので、そのクッション部材１３，１３´，１８によって緩衝されて身体を受止められる。同時に、受止められた身体（臀部Ｂ）は、支持されている各横支持体３，３′の膨出支持部１３，１３´の上表面が空間部６の中心に向かって下がり勾配にされた曲面を形成しているので、クッション性は保たれながら自動的に受支部を空間部６の中心に移動させようとする作用力が働くことになる。その結果、受支されている臀部Ｂが一対の横支持体３，３′の膨出支持部３ａ，３ａ´の弾性変形による反発力で挟みつけられる状態を呈し、臀部Ｂから腰部Ｄにかけての筋肉が骨盤に向かって引き寄せられるように機能し、併せて刺激を受けて血行が促進され、着座することによって骨盤部とその周辺を引き締め調整する効果が得られることになる。なお、この際、一対の横支持体３，３′の膨出支持部３ａ，３ａ´の弾性変形による反発力で大腿部Ｅ（図４（ａ）参照）の上半部位も両側から押し付けられるようになり、当該部分の筋肉に刺激を与えることができる。また、後部支持体４は、その高さ寸法が両横支持体３，３′よりも高くされており、かつ前述のようにその膨出支持部４ａがクッション部材１８で形成されているから、臀部Ｂとの接触による弾性変形での反発力で、受止めた臀部Ｂの筋肉を身体の前方へ押出すような働きをして、着座時の支持安定と同時に尾骨部を持上げるように作用して着座姿勢（腰椎）を矯正するような機能を発揮し、腰部を引き締めるような効果が得られる。
【００２８】
また、本実施形態では、一対の横支持体３，３′と後部支持体４とによって三点支持されるとともに、それぞれが基板部２上の空間部６中心に向かって下がり傾斜となる上表面をいずれも曲面に形成されているので、着座する人の体格が異なっても幅方向に束縛されることはなく、前記同様の機能を発揮させることができる。したがって、体格に応じた寸法形状のものを選択的に使用することもなく、多少の違いは、一対の横支持体３，３′を基板部２との連結部に設けたラチェットギヤ１０，１０´による傾動によって調整することにより適応させることができるのである。
【００２９】
なお、図３（ａ）に示されるように、一対の横支持体３，３′が起立している状態において、サイドフレーム１１，１１´の上部を外部から手で掴むようにして内向きに倒す方向に最大限移動させてラチェットギヤ１０，１０´の爪と爪車（いずれも図示省略）との噛み合わせを解除し、その後、一対の横支持体３，３′を外向きに倒していけば、同図（ｂ）に示されるように、一対の横支持体３，３´を基板部２から床面Ｆ上に伏臥させた伏臥位置まで展開することができる。
こうして、一対の横支持体３，３′を伏臥位置に展開することにより、一対の横支持体３，３′によって臀部Ｂ全体を面接触にてソフトに支えることができる。
【００３０】
次に、本実施形態の骨盤クッション１上で腹筋運動を行う際の使用態様について説明する。
図３（ｂ）に示されるように、一対の横支持体３，３′が床面Ｆ上に伏臥している状態において、ラチェットギヤ１５による傾き角度の調整により、後部支持体４を起立位置（図４（ａ）参照）から伏臥位置（図４（ｂ）参照）の間の好みの位置に位置させる。この状態で、利用者Ａが着座し、骨盤クッション１上で後部支持体４を背もたれとして腹筋運動を実施することができる。このとき、後部支持体４が起立位置（図４（ａ）参照）にあるとき腹筋運動の最小負荷となり、後部支持体４が伏臥位置（図４（ｂ）参照）にあるとき腹筋運動の最大負荷となり、後部支持体４を起立位置と伏臥位置との間で複数段階に角度調整することで、腹筋運動の負荷を最小負荷と最大負荷との間で複数段階に調整することができる。
ところで、腹筋運動は、上半身の前屈動作と伸長動作の繰り返し運動であるが、伸長動作時に着座した人の腰部Ｄが後部支持体４に強い勢いで接触することがある。後部支持体４は、着座した人の腰部Ｄに当接可能にその中央部が膨出された形状の膨出支持部４ａを有するものとされているので、腹筋運動の伸長動作時に腰部Ｄが後部支持体４に接触する際の衝撃を緩和することができる。
また、腹筋運動に伴い、利用者Ａが骨盤クッション１の前の方へずれようとするが、膨出支持部２ａが臀部Ｂと大腿部Ｅとの境界部Ｇに接触して抵抗となり滑り止めとして機能するので、利用者Ａが骨盤クッション１の前の方へずれていくのを膨出支持部２ａで防ぐことができる。
【００３１】
以上、本考案の骨盤クッションについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００３２】
本考案の骨盤クッションは、骨盤の引き締めのための十分な挟持力を臀部に確実に作用させることができるという特性を有していることから、腰椎や骨盤部の補正の用途に好適に用いることができるのは勿論のこと、通常のクッションや腹筋運動の補助具の用途にも用いることができる。
【符号の説明】
【００３３】
１              骨盤クッション
２              基板部
２ａ            膨出支持部
３，３´        横支持体
３ａ，３ａ´    膨出支持部
４              後部支持体
４ａ            膨出支持部
７              ベースフレーム
１０，１０´    ラチェットギヤ
１１，１１´    サイドフレーム
１３，１３´    クッション部材
１５            ラチェットギヤ
１８            クッション部材
【図１】
0003174510.tif 000003
【図２】
0003174510.tif 000004
【図３】
0003174510.tif 000005
【図４】
0003174510.tif 000006
【図５】
0003174510.tif 000007